(57)【要約】【課題】塵埃の像を目立たなくしつつ小型化を図るとともに設計の自由度を確保する。【解決手段】ビューファインダー装置１０は、ビューファインダー用ケース１２と、透過型液晶パネル１３と、照明装置１４と、第１の偏光板１５と、第２の偏光板１６とを備えている。ビューファインダーケース１２はケース１０２に組み込まれ、ケース本体１２０２と、ケース分割体１２０４とから構成されている。ケース分割体１２０４はケース本体１２０２に取着されている。ケース分割体１２０４の内部に透過型液晶パネル１３と照明装置１４と第１の偏光板１５とが支持されている。ケース本体１２０２に第２の偏光板１６が支持されている。これにより、第１の偏光板１５の配置位置と第２の偏光板１６の配置位置とを互いに独立して自由に設定することができる。【選択図】        図４
2006197435.tif 000002
【特許請求の範囲】
【請求項１】
外装を構成するケースと、
前記ケースに設けられた撮影光学系と、
前記ケースに設けられ前記撮影光学系によって導かれた被写体像を撮像する撮像素子と、
前記ケースに設けられ前記撮像素子で撮像された画像を前記ケースの開口から視認するためのビューファインダー装置とを備え、
前記ビューファインダー装置は、
前記ケースに組み込まれたビューファインダー用ケースと、
画像を表示させる表示面を有する透過型液晶パネルと、
前記透過型液晶パネルの前記表示面の反対側の面である背面に光を照射する照明装置と、
前記透過型液晶パネルと前記照明装置との間に設けられた第１の偏光板と、
前記透過型液晶パネルの前記表示面に臨ませて設けられた第２の偏光板とを備え、
前記ビューファインダー用ケースは、前記開口に臨むように窓が設けられたケース本体と、前記ケース本体に取着されたケース分割体とからなり、
前記照明装置と前記第１の偏光板とは前記ケース分割体の内部で支持されるとともに、前記透過型液晶パネルは前記表示面を前記窓に臨ませて前記ケース分割体の内部で支持され、
前記第２の偏光板は前記ケース本体の内部で支持されている、
ことを特徴とする撮像装置。
【請求項２】
前記ケース本体の内部で、前記窓と前記透過型液晶パネルとの間に、前記画像を拡大する接眼レンズが設けられていることを特徴とする請求項１記載の撮像装置。
【請求項３】
前記ケース本体の内部で、前記窓と前記透過型液晶パネルとの間に、前記画像を拡大する接眼レンズが設けられ、前記接眼レンズが前記窓に臨むレンズ面あるいは第２の偏光板に臨むレンズ面の少なくとも一方に前記第２の偏光板が取着されていることを特徴とする請求項１記載の撮像装置。
【請求項４】
前記窓に、該窓からビューファインダーケース内への塵埃の侵入を阻止する保護板が取着されていることを特徴とする請求項１記載の撮像装置。
【請求項５】
前記窓に、該窓からビューファインダーケース内への塵埃の侵入を阻止する保護板が取着され、前記保護板に前記第２の偏光板が取着されていることを特徴とする請求項１記載の撮像装置。
【請求項６】
前記ケース本体は前後方向に延在し、前記ケース分割体は前記ケース本体の前部で左又は右側方に連結され、前記第２の偏光板の前方で前記ケース本体の内部の前部に前記透過型液晶パネルに表示された画像を前記第２の偏光板に向けて反射させる反射ミラーが設けられていることを特徴とする請求項１記載の撮像装置。
【請求項７】
前記ケース本体は、前記ケースに取着されていることを特徴とする請求項１記載の撮像装置。
【請求項８】
ケースと、
画像を表示させる表示面を有する透過型液晶パネルと、
前記透過型液晶パネルの前記表示面の反対側の面である背面に光を照射する照明装置と、
前記透過型液晶パネルと前記照明装置との間に設けられた第１の偏光板と、
前記透過型液晶パネルの前記表示面に臨ませて設けられた第２の偏光板とを備え、
前記ケースは、覗き用の窓が設けられたケース本体と、前記ケース本体に取着されたケース分割体とからなり、
前記照明装置と前記第１の偏光板とは前記ケース分割体の内部で支持されるとともに、前記透過型液晶パネルは前記表示面を前記窓に臨ませて前記ケース分割体の内部で支持され、
前記第２の偏光板は前記ケース本体の内部で支持されている、
ことを特徴とする表示装置。
【請求項９】
前記ケース本体の内部で、前記窓と前記透過型液晶パネルとの間に、前記画像を拡大する接眼レンズが設けられていることを特徴とする請求項８記載の表示装置。
【請求項１０】
前記ケース本体の内部で、前記窓と前記透過型液晶パネルとの間に、前記画像を拡大する接眼レンズが設けられ、前記接眼レンズが前記窓に臨むレンズ面あるいは第２の偏光板に臨むレンズ面の少なくとも一方に前記第２の偏光板が取着されていることを特徴とする請求項８記載の表示装置。
【請求項１１】
前記窓に、該窓から前記ケース内への塵埃の侵入を阻止する保護板が取着されていることを特徴とする請求項８記載の表示装置。
【請求項１２】
前記窓に、該窓から前記ケース内への塵埃の侵入を阻止する保護板が取着され、前記保護板に前記第２の偏光板が取着されていることを特徴とする請求項８記載の表示装置。
【請求項１３】
前記ケース本体は前後方向に延在し、前記ケース分割体は前記ケース本体の前部で左又は右側方に連結され、前記第２の偏光板の前方で前記ケース本体の内部の前部に前記透過型液晶パネルに表示された画像を前記第２の偏光板に向けて反射させる反射ミラーが設けられていることを特徴とする請求項８記載の表示装置。
【請求項１４】
前記表示装置は撮像素子で撮像された画像を表示する撮像装置のビューファインダー装置であることを特徴とする請求項８記載の表示装置。
【発明の詳細な説明】
【技術分野】
【０００１】
本発明は、ビューファインダー装置を有する撮像装置および画像を表示する表示装置に関する。
【背景技術】
【０００２】
ビデオカメラなどの撮像装置として、外装を構成するケースと、ケースに設けられた撮影光学系と、ケースに設けられ撮影光学系によって導かれた被写体像を撮像する撮像素子と、ケースに設けられ撮像素子で撮像された画像をケースの開口から視認するためのビューファインダー装置とを備えたものがある。
従来、このようなビューファインダー装置は、ケースに組み込まれ開口に臨むように窓が設けられたビューファインダー用ケースを備え、このビューファインダー用ケースの内部に、窓に表示面を臨ませた透過型液晶パネルと、透過型液晶パネルの背面に光を照射する照明装置と、透過型液晶パネルと照明装置との間に設けられた第１の偏光板と、透過型液晶パネルと窓との間に設けられた第２の偏光板と、窓と第２の偏光板の間に設けられ透過型液晶パネルの画像を拡大する接眼レンズとが収容されたものがある（特許文献1参照）。
この場合、接眼レンズの結像面は透過型液晶パネルの液晶層と合致するように設けられている。
【特許文献１】特開２００１−３３９６２７号公報
【発明の開示】
【発明が解決しようとする課題】
【０００３】
近年、撮像装置の小型化に伴ってビューファインダー装置の小型化が要請されており、そのため、透過型液晶パネルの大きさも例えば０．３型（対角線の寸法が０．３インチ）といった小型のものが主流となりつつある。
このように小型の透過型液晶パネルを用いる場合には、透過型液晶パネルの画像を接眼レンズによってより大きく拡大することが必要となる。
一方、第１、第２の偏光板は、その製造過程においてこれら偏光板を構成する材料に塵埃が混入することが避けられないため、第１、第２の偏光板の内部に微量ではあるが塵埃が存在している。また、ビューファインダー装置の組み立て工程において、第１、第２の偏光板に微量の塵埃が付着することも避けられない。
第１、第２の偏光板は、透過型液晶パネルに近接して配置されることから、第１、第２の偏光板も接眼レンズの結像面の近傍に位置している。したがって、これら第１、第２の偏光板に存在あるいは付着した塵埃の像も接眼レンズを介して拡大され、ユーザーの視野に入ることになる。
このようなことから、透過型液晶パネルの小型化が図られ接眼レンズによる画像の拡大率が大きくなるほど、ビューファインダー装置によって表示される塵埃の像が目立つことが懸念されている。
このような不都合を解消するために、第１、第２の偏光板を接眼レンズの結像面から離間した箇所に配置することが考えられる。
しかしながら、従来は、第１、第２の偏光板と透過型液晶パネルを単一の支持体で一体的に支持する構成がとられる場合が多いことから、第１、第２の偏光板の配置関係が固定されてしまう。
このため、ビューファインダー装置の占有スペースを削減しつつ、第１、第２の偏光板の塵埃がユーザーの視野内で目立たないように第１、第２の偏光板を接眼レンズの結像面から離間した箇所に配置する際の設計の自由度が限られ、また、視度調整のために接眼レンズをその光軸方向に移動させる移動量を確保する際の設計の自由度が限られる不利がある。
本発明はこのような事情に鑑みなされたものであり、その目的は、塵埃の像を目立たなくしつつ小型化を図るとともに設計の自由度を確保する上で有利な撮像装置および表示装置を提供することにある。
【課題を解決するための手段】
【０００４】
上述の目的を達成するため、本発明の撮像装置は、外装を構成するケースと、前記ケースに設けられた撮影光学系と、前記ケースに設けられ前記撮影光学系によって導かれた被写体像を撮像する撮像素子と、前記ケースに設けられ前記撮像素子で撮像された画像を前記ケースの開口から視認するためのビューファインダー装置とを備え、前記ビューファインダー装置は、前記ケースに組み込まれたビューファインダー用ケースと、画像を表示させる表示面を有する透過型液晶パネルと、前記透過型液晶パネルの前記表示面の反対側の面である背面に光を照射する照明装置と、前記透過型液晶パネルと前記照明装置との間に設けられた第１の偏光板と、前記透過型液晶パネルの前記表示面に臨ませて設けられた第２の偏光板とを備え、前記ビューファインダー用ケースは、前記開口に臨むように窓が設けられたケース本体と、前記ケース本体に取着されたケース分割体とからなり、前記照明装置と前記第１の偏光板とは前記ケース分割体の内部で支持されるとともに、前記透過型液晶パネルは前記表示面を前記窓に臨ませて前記ケース分割体の内部で支持され、前記第２の偏光板は前記ケース本体の内部で支持されていることを特徴とする。
また、本発明の表示装置は、ケースと、画像を表示させる表示面を有する透過型液晶パネルと、前記透過型液晶パネルの前記表示面の反対側の面である背面に光を照射する照明装置と、前記透過型液晶パネルと前記照明装置との間に設けられた第１の偏光板と、前記透過型液晶パネルの前記表示面に臨ませて設けられた第２の偏光板とを備え、前記ケースは、覗き用の窓が設けられたケース本体と、前記ケース本体に取着されたケース分割体とからなり、前記照明装置と前記第１の偏光板とは前記ケース分割体の内部で支持されるとともに、前記透過型液晶パネルは前記表示面を前記窓に臨ませて前記ケース分割体の内部で支持され、前記第２の偏光板は前記ケース本体の内部で支持されていることを特徴とする。
【発明の効果】
【０００５】
そのため、本発明の撮像装置および表示装置によれば、ビューファインダー用ケースまたは表示装置のケースは、ケース本体と、ケース本体に取着されたケース分割体とからなり、透過型液晶パネルと照明装置と第１の偏光板とがケース分割体の内部で支持され、第２の偏光板がケース本体の内部で支持されているので、第１の偏光板の配置位置と第２の偏光板の配置位置とを互いに独立して自由に設定することができる。
このため、ビューファインダー装置または表示装置の占有スペースを削減しつつ、第１、第２の偏光板の塵埃がユーザーの視野内で目立たないように第１、第２の偏光板を配置する際に設計の自由度を確保する上で有利となる。
【発明を実施するための最良の形態】
【０００６】
ビューファインダー用ケースまたは表示装置のケースを、ケース本体と、ケース本体に取着されたケース分割体とで構成し、透過型液晶パネルと照明装置と第１の偏光板とをケース分割体の内部で支持し、第２の偏光板をケース本体の内部で支持するように構成することで上記目的を実現した。
【実施例１】
【０００７】
次に本発明の実施例１について図面を参照して説明する。
本実施例では撮像装置はビデオカメラ１００である。
図１は実施例１のビデオカメラ１００を前方から見た斜視図、図２はビデオカメラ１００を後方から見た斜視図である。
図３はビデオカメラ１００の制御系の構成を示すブロック図である。
図４はビデオカメラ１００のビューファインダー装置１０の構成を示す説明図、図５は図４の要部を示す説明図である。
【０００８】
図１乃至図３に示すように、本実施例においてビデオカメラ１００は、外装を構成するケース１０２と、ケース１０２の前方に臨むようにケース１０２に設けられた撮影光学系１０４と、ケース１０２内部に組み込まれ撮影光学系１０４によって導かれた被写体像を撮像する撮像素子１０７と、撮像素子１０７で撮像された画像を視認するためのビューファインダー装置１０とを備えている。
なお、本明細書において左右は、ビデオカメラ１００を前方から見た状態でいうものとし、また、撮影光学系の光軸方向で被写体側を前方といい、撮像素子１０７側を後方という。
ケース１０２は、左右方向の幅と、この幅よりも大きな寸法の上下方向の高さと、この高さよりも大きな寸法の前後方向の長さとを有している。
ケース１０２は、前方および後方に臨む前面１０２Ａおよび後面１０２Ｂと、上方および下方に臨む上面１０２Ｃおよび下面１０２Ｄと、左方および右方に臨む左側面１０２Ｅおよび右側面１０２Ｆとを有している。
ケース１０２の後面１０２Ｂおよび右側面１０２Ｆには、撮影スタートストップスイッチなどの操作スイッチ１０３Ａや種々の設定を行うための複数の設定スイッチ１０３Ｂが設けられている。
ケース１０２内の上部には鏡筒１０６が配置され、撮影光学系１０４は鏡筒１０６内に配置され、撮像素子１０７（図３）は鏡筒１０６内の後端に配置されている。
ケース１０２内の左側面１０２Ｅ側には、撮像素子１０７で撮像された被写体像の静止画および動画のデータを記録媒体（例えば、磁気テープ、光ディスク、光磁気ディスクなど）に記録再生する記録再生部１０８などが配置されている。
ケース１０２の右側面１０２Ｆには撮像素子１０７によって撮像された被写体像などを表示するためのディスプレイ装置１１０が開閉可能に設けられている。
【０００９】
図３に示すように、撮像素子１０７は、撮影光学系１０４によって結像された被写体像を撮像するＣＣＤやＣＭＯＳセンサなどで構成されている。
撮像素子１０７で撮像された像は撮像信号として画像処理部１２０に出力され、画像処理部１２０ではこの撮像信号に基づいて静止画あるいは動画の画像データが生成され、記録再生部１０８により前記記憶媒体に記録され、また、記録再生部１０８により前記記録媒体から画像データが再生される。
また、前記画像データは表示処理部１２２によりディスプレイ１１０およびビューファインダー装置１０（特許請求の範囲の表示装置に相当）の透過型液晶パネル１３に表示される。
さらに、撮像装置１００は、操作スイッチ１０３Ａ、設定スイッチ１０３Ｂの操作に応じて、画像処理部１２０、表示処理部１２２を制御するＣＰＵなどを含む制御部１２４を備えている。
なお、メモリカードが装脱されるカードスロットを設け、このカードスロットに装着されたメモリカードに対して画像処理部１２０により静止画および動画のデータを記録し、また、記録再生部１０８により前記記録媒体から画像データを再生するようにしてもよいことは無論である。
【００１０】
図２に示すように、ケース１０２の後面１０２Ｂの上部には開口１３０が設けられており、ビューファインダー装置１０は開口１３０から画像を視認できるようにケース１０２の上部に組み込まれている。
ビューファインダー装置１０は、図４、図５に示すように、ビューファインダー用ケース１２と、透過型液晶パネル１３と、照明装置１４と、第１の偏光板１５と、第２の偏光板１６とを備えている。
ビューファインダーケース１２はケース１０２に組み込まれ、ケース本体１２０２と、ケース分割体１２０４とから構成されている。
本実施例では、ケース本体１２０２はケース１０２に取着され、ケース本体１２０２には開口１３０に臨むように窓１１が設けられている。
ケース分割体１２０４はケース本体１２０２に取着されている。
ケース分割体１２０４の内部に透過型液晶パネル１３と照明装置１４と第１の偏光板１５とが支持されている。
また、ケース本体１２０２に第２の偏光板１６が支持されている。
【００１１】
透過型液晶パネル１３は、窓１１の前方に位置するように配置され、窓１１内に画像を表示させるように構成されている。
透過型液晶パネル１３は、重ね合わされた２枚の透明基板と、これら２枚の透明基板の間に封入された液晶からなる液晶層と、各透明基板が液晶層に面した箇所に形成される透明電極とを有しており、表示処理部１２２から前記透明電極に供給される駆動信号に基づいて表示しようとする画像に対応して前記液晶の分子の配列を変えて透過型液晶パネル１３を透過する直線偏光の方向を９０度変化させるように構成されている。
透過型液晶パネル１３では、前記液晶層が前記透明基板に臨む面に画像が表示され、したがって、この面が表示面となる。
【００１２】
照明装置１４は、窓１１を基準とすると、透過型液晶パネル１３の前方に設けられており、いわゆる透過型液晶パネル１３の表示面の反対側の面である背面にバックライトとして設けられるものである。
照明装置１４は、本実施例では、ＬＥＤなどからなる光源１４０２と、光源１４０２から照射される光を満遍なく拡散する拡散板１４０４と、拡散板１４０４によって拡散された光を第１の偏光板１５に導く集光板１４０６とを有している。
【００１３】
第１の偏光板１５は、透過型液晶パネル１３の背面と照明装置１４との間に設けられている。
第１の偏光板１５は、照明装置１４から照射された光の進行方向と直交する面に沿って延在する透過軸を有している。したがって、第１の偏光板１５を透過した光は、第１の偏光板１５の透過軸に平行な直線偏光となる。
第２の偏光板１６は、透過型液晶パネル１３と窓１１との間に設けられている。
第２の偏光板１６は、照明装置１４から照射され透過型液晶パネル１３を透過した光の進行方向と直交する面に沿って延在し、かつ、第１の偏光板１５の透過軸と９０度をなして交差する透過軸を有している。したがって、透過型液晶パネル１３によって直線偏光の方向が９０度変化された光は第２の偏光板１６を透過し、透過型液晶パネル１３によって直線偏光の方向が９０度変化されなかった光は第２の偏光板１６を透過しない。このように光が透過することにより、あるいは、透過しないことにより画像が透過型液晶パネル１３に形成される。
【００１４】
また、本実施例では、ケース本体１２０２の内部で、窓１１と透過型液晶パネル１３との間に、言い換えると、窓１１と第２の偏光板１６との間に、透過型液晶パネル１３に形成された前記画像を拡大する接眼レンズ１８が設けられている。
接眼レンズ１８は、その結像面が透過型液晶パネル１３の表示面とほぼ一致するように設けられている。
また、本実施例では、窓１１からビューファインダーケース１２内に塵埃が侵入することを防止するために、光を透過する透明材料で構成された保護板１９が窓１１に嵌め込まれている。
また、図５において符号２０は光源１４０２に電流を供給するためのフレキシブル基板、符号２１は透過型液晶パネル１３の透明電極に前記駆動信号を供給するためのフレキシブル基板である。
【００１５】
本実施例によれば、ビューファインダー用ケース１２は、ケース本体１２０２と、ケース本体１２０２に取着されたケース分割体１２０４とからなり、透過型液晶パネル１３と照明装置１４と第１の偏光板１５とがケース分割体１７の内部で支持され、第２の偏光板１６がケース本体１２０２の内部で支持されているので、第１の偏光板１５の配置位置と第２の偏光板１６の配置位置とを互いに独立して自由に設定することができる。
このため、ビューファインダー装置１０の占有スペースを削減しつつ、第１、第２の偏光板１５、１６の塵埃がユーザーの視野内で目立たないように第１、第２の偏光板１５、１６を接眼レンズ１８の結像面から離間した箇所に配置する際に設計の自由度を確保する上で有利となる。
また、第１の偏光板１５の配置位置と第２の偏光板１６の配置位置とを互いに独立して自由に設定することができるので、視度調整のために接眼レンズ１８を光軸方向に移動可能に構成する場合には、接眼レンズ１８の光軸方向における移動スペースを確保する際に設計の自由度を確保する上で有利となる。
また、第１、第２の偏光板１５、１６の塵埃がユーザーの視野内で目立たないようにすることにより、ビューファインダー装置１０の性能の向上を図るとともに、第１、第２の偏光板１５、１６に混入あるいは付着する塵埃の許容量を緩めることが可能となり製造コストの低減を図る上でも有利となる。
【００１６】
次に、実施例１を比較例と比較して説明する。
図６は従来のビューファインダー装置１０Ａの構成図である。なお、図６において実施例１と同様の部分および部材には同一の符号を付してその説明を省略する。
図６に示すように、比較例のビューファインダー装置１０Ａでは、第１、第２の偏光板１５、１６と透過型液晶パネル１３とが単一の支持体３０によって一体的に支持されている。
したがって、第１の偏光板１５の配置位置と第２の偏光板１６の配置位置とが固定されていることから、接眼レンズ１８の設計に対応して第１、第２の偏光板１５、１６の配置を自由に設定することができず、ビューファインダー装置１０の占有スペースを削減する上で不利がある。
また、視度調整のために接眼レンズ１８を光軸方向に移動可能に構成する場合には、第１の偏光板１５の配置位置と第２の偏光板１６の配置位置とが固定されていることから、接眼レンズ１８の光軸方向における移動スペースを確保する際に設計の自由度を確保する上で不利がある。
これに対して本実施例では、第１の偏光板１５の配置位置と第２の偏光板１６の配置位置とを互いに独立して自由に設定することができるので、設計の自由度を確保することができ、この点で比較例に比べて極めて有利である。
【実施例２】
【００１７】
次に実施例２について説明する。
図７は実施例２のビューファインダー装置１０の構成を示す説明図である。なお、以下では、実施例１と同様の部分および部材には同一の符号を付してその説明を省略する。
実施例２は実施例１の変形例であり、接眼レンズ１８が窓１１に臨むレンズ面あるいは透過型液晶パネル１３に臨むレンズ面の少なくとも一方に偏光板１６０２を設けたものである。
この偏光板１６０２は、例えば、レンズ面に偏光膜をコーティングすることで、あるいは、レンズ面に薄い偏光フィルムを貼り付けることで構成される。
この偏光板１６０２は第２の偏光板１６を構成している。
実施例２においても実施例１と同様の効果を奏することは無論のこと、実施例１に比較して第２の偏光板１６の分だけ部品点数を削減できるため、製造コストを低減する上で有利となる。
【実施例３】
【００１８】
次に実施例３について説明する。
図８は実施例３のビューファインダー装置１０の構成を示す説明図である。
実施例３も実施例１の変形例であり、保護板１９が窓１１から後方に臨む面あるいは透過型液晶パネル１３に臨む面に偏光板１６０４を設けたものである。
この偏光板１６０２は、例えば、保護板１９の面に偏光膜をコーティングすることで、あるいは、保護板１９に薄い偏光フィルムを貼り付けることで構成される。
この偏光板１６０４は第２の偏光板１６を構成している。
実施例３においても実施例１と同様の効果を奏することは無論のこと、実施例２と同様に、実施例１に比較して第２の偏光板１６の分だけ部品点数を削減できるため、製造コストを低減する上で有利となる。
【実施例４】
【００１９】
次に実施例４について説明する。
実施例４は、ビューファインダー装置１０の光路を屈曲させるミラー２０が設けられている点が実施例１と異なっている。
図９は実施例４のビューファインダー装置１０の構成を示す説明図、図１０（Ａ）、（Ｂ）は実施例４のビューファインダー装置１０のケース本体１２０２の一部分を破断した状態を示す斜視図である。
図９、図１０に示すように、ケース本体１２０２の内部には、窓１１から前方に延在する第１光路１１０２が設けられ、また、ケース本体１２０２の前部の内部とケース分割体１２０４の内部とにわたり、第１光路１１０２の前端から直角に折れ曲がり右側方に延在する第２光路１１０４が設けられている。
保護板１９、接眼レンズ１８、第２の偏光板１６、反射ミラー２０は、第１の光路１１０２に直線状に並べて配置されている。
反射ミラー２０は、透過型液晶パネル１３に表示された画像を後方に向けて反射するものであり、反射ミラー２０は、第１光路１１０２と第２光路１１０４とが交差する部分に配置されている。
反射ミラー２０はその反射面２００２を上下方向に延在させかつ前後方向に対して４５度の角度を持って交差するように配置されている。なお、反射ミラー２０は、例えば、平坦なガラス板に金属膜が形成されているもの、あるいは、プリズムの面で構成されているものなど従来公知の様々な構成が採用可能である。
【００２０】
ケース分割体１２０４は、反射ミラー２０の右側方に臨むようにケース本体１２０２に取着されている。
ケース分割体１２０４内に支持されている透過型液晶パネル１３は、その画像が表示される表示面が第２光路１１０４に直交している。
したがって、撮像素子１０７で撮像された画像が透過型液晶パネル１３に表示されると、この画像は反射ミラー２０、第２の偏光板１６、接眼レンズ１８、保護板１９を経て窓１１内で視認される。
なお、反射ミラー２０によって画像が反射されてから視認されるので、透過型液晶パネル１３に表示される画像は予め鏡像となるように表示しておく必要がある。
【００２１】
実施例４によれば、実施例１と同様の効果を奏することは無論のこと、第１の偏光板１５の配置位置と第２の偏光板１６の配置位置とを互いに独立して自由に設定することができるので、ビューファインダー装置１０の光路内に反射ミラー２０を配置して光路を屈曲させ、ビューファインダー装置１０における光路長を例えば左右方向にも確保することができる。
したがって、ビューファインダー装置１０の前後方向の寸法を短縮でき、ケース１０２内における各種部材の配置の自由度を確保でき、ビデオカメラ１００の前後方向の小型化を図ることが可能となる。
なお、実施例４においても実施例２、３のように第２の偏光板１６を接眼レンズ１８あるいは保護板１９に設けても良いことはもちろんである。
また、反射ミラー２０の反射面２００２に偏光膜をコーティングすることで、あるいは、反射ミラー２０の反射面２００２に薄い偏光フィルムを貼り付けることで第２の偏光板１６を反射ミラー２０に設けるようにしてもよい。
【００２２】
なお、実施例では、撮像装置がビデオカメラである場合について説明したが、本発明の撮像装置はこれに限定されるものではなく、種々の撮像装置、例えばデジタルスチルカメラなどであってもよいことはもちろんである。
また、実施例では、表示装置が撮像装置のビューファイダー装置である場合について説明したが、表示装置はこれに限定されるものではなく、画像を表示する種々の表示装置に広く適用可能であることはもちろんである。
【図面の簡単な説明】
【００２３】
【図１】実施例１のビデオカメラ１００を前方から見た斜視図である。
【図２】ビデオカメラ１００を後方から見た斜視図である。
【図３】ビデオカメラ１００の制御系の構成を示すブロック図である。
【図４】ビデオカメラ１００のビューファインダー装置１０の構成を示す説明図である。
【図５】図４の要部を示す説明図である。
【図６】従来のビューファインダー装置１０Ａの構成図である。
【図７】実施例２のビューファインダー装置１０の構成を示す説明図である。
【図８】実施例３のビューファインダー装置１０の構成を示す説明図である。
【図９】実施例４のビューファインダー装置１０の構成を示す説明図である。
【図１０】（Ａ）、（Ｂ）は実施例４のビューファインダー装置１０のケース本体１２０２の一部分を破断した状態を示す斜視図である。
【符号の説明】
【００２４】
１０……ビューファインダー装置、１１……窓、１２……ビューファインダー用ケース、１２０２……ケース本体、１２０４……ケース分割体、１３……透過型液晶パネル、１４……照明装置、１５……第１の偏光板、１６……第２の偏光板、１００……ビデオカメラ、１０２……ケース、１０４……撮影光学系、１０７……撮像素子、１３０……開口。
【図１】
2006197435.tif 000003
【図２】
2006197435.tif 000004
【図３】
2006197435.tif 000005
【図４】
2006197435.tif 000006
【図５】
2006197435.tif 000007
【図６】
2006197435.tif 000008
【図７】
2006197435.tif 000009
【図８】
2006197435.tif 000010
【図９】
2006197435.tif 000011
【図１０】
2006197435.tif 000012